(57)【要約】【課題】デジタルズーム処理時に、ズームを行なう領域と行なわない領域の位置関係を把握し、且つそれら双方の内容を常に視認する。【解決手段】入力画像中のズーム対象エリアＺＯＡの位置及びその位置に対する拡大倍率の指定を受付け、受け付けた倍率でズームしたズームエリアＺＡと、このズームエリアＺＡに隣接する周囲の各エリア毎に対応するｘ座標及びｙ座標それぞれの拡大／縮小率で画素変換を行なう。【選択図】      図６
2005077821.tif 000002
【特許請求の範囲】
【請求項１】
入力画像中のズーム対象位置を指定する第１の指定手段と、
この第１の指定手段で指定したズーム対象位置に対する拡大倍率を指定する第２の指定手段と、
この第２の指定手段で指定されたズーム対象位置に対する拡大倍率に基づき、上記第１の指定手段で指定されたズーム対象エリア内の画像と該エリア外の画像を構成する全画素それぞれの第１の座標方向の座標値を変換する第１の画素変換手段と、
この第１の画素変換手段で横方向の全画素位置を変換した画像に対し、上記第２の指定手段で指定された拡大倍率に基づいて、上記第１の指定手段で指定されたズーム対象エリア内の画像と該エリア外の画像を構成する全画素それぞれの上記第１の座標方向と直交する第２の座標方向の座標値を変換する第２の画素変換手段と、
この第２の画素変換処理で得た画像を投影表示する投影制御手段と
を具備したことを特徴とする投影装置。
【請求項２】
上記第１の指定手段は、予め設定された大きさのズーム対象位置の中心点を指定することを特徴とする請求項１記載の投影装置。
【請求項３】
上記第２の指定手段は、予め用意された複数の拡大倍率から１つを選択して指定することを特徴とする請求項１記載の投影装置。
【請求項４】
上記投影制御手段で投影表示した画像中の、上記ズーム対象エリアに対応するズームエリアの画像の移動を指定する第３の指定手段をさらに具備し、
上記第１及び第２の画素変換手段は、上記第３の指定手段で指定されたズームエリアの画像の移動に基づいて再度それぞれの座標方向での座標値の変換を実行し、
上記投影制御手段は、上記第２の画素変換手段で再度の画素変換により得た画像を投影表示する
ことを特徴とする請求項１記載の投影装置。
【請求項５】
上記第１及び第２の画素変換手段はそれぞれ、ズーム対象エリア外の画像を該ズーム対象エリアとの遠近関係に対応した複数の倍率で画素変換することを特徴とする請求項１記載の投影装置。
【請求項６】
入力画像中のズーム対象位置を指定する第１の指定工程と、
この第１の指定工程で指定したズーム対象位置に対する拡大倍率を指定する第２の指定工程と、
この第２の指定工程で指定されたズーム対象位置に対する拡大倍率に基づき、上記第１の指定工程で指定されたズーム対象エリア内の画像と該エリア外の画像を構成する全画素それぞれの第１の座標方向の座標値を変換する第１の画素変換工程と、
この第１の画素変換工程で横方向の全画素位置を変換した画像に対し、上記第２の指定工程で指定された拡大倍率に基づいて、上記第１の指定工程で指定されたズーム対象エリア内の画像と該エリア外の画像を構成する全画素それぞれの上記第１の座標方向と直交する第２の座標方向の座標値を変換する第２の画素変換工程と、
この第２の画素変換処理で得た画像を投影表示する投影制御工程と
を有したことを特徴とする投影方法。
【請求項７】
ズーム機能を有する投影装置に内蔵されるコンピュータが実行するプログラムにあって、
入力画像中のズーム対象位置を指定する第１の指定ステップと、
この第１の指定ステップで指定したズーム対象位置に対する拡大倍率を指定する第２の指定ステップと、
この第２の指定ステップで指定されたズーム対象位置に対する拡大倍率に基づき、上記第１の指定ステップで指定されたズーム対象エリア内の画像と該エリア外の画像を構成する全画素それぞれの第１の座標方向の座標値を変換する第１の画素変換ステップと、
この第１の画素変換ステップで横方向の全画素位置を変換した画像に対し、上記第２の指定ステップで指定された拡大倍率に基づいて、上記第１の指定ステップで指定されたズーム対象エリア内の画像と該エリア外の画像を構成する全画素それぞれの上記第１の座標方向と直交する第２の座標方向の座標値を変換する第２の画素変換ステップと、
この第２の画素変換処理で得た画像を投影表示する投影制御ステップと
をコンピュータに実行させることを特徴とするプログラム。
【発明の詳細な説明】
【技術分野】
【０００１】
本発明は、投影画像のデジタル処理によるズーム機能を有した投影装置、投影方法及びプログラムに関する。
【背景技術】
【０００２】
従来、プロジェクタ装置で投影する画像をデジタル処理によりズームアップする場合に、ズームアップした画像が元の画像中のどこに位置しているのかを表すようにした技術が考えられている。（例えば、特許文献１）
【特許文献１】特開２００２−０５５６７４号公報
【発明の開示】
【発明が解決しようとする課題】
【０００３】
しかしながら、上記特許文献１の技術では、ズームアップ前の画像中にズーム対象エリアを示す枠線を付加した画像を子画面化してズーム後の画像の端部に嵌込み合成するため、ズーム後の画像の一部が該子画面により隠れてしまい、その内容を視認することができない。
【０００４】
本発明は上記のような実情に鑑みてなされたもので、その目的とするところは、デジタル処理により投影画像のズームを行なう際に、ズームを行なう領域と行なわない領域の位置関係を把握し、且つそれら双方の内容を常に視認することが可能な投影装置、投影方法及びプログラムを提供することにある。
【課題を解決するための手段】
【０００５】
本願請求項１記載の発明は、入力画像中のズーム対象位置を指定する第１の指定手段と、この第１の指定手段で指定したズーム対象位置に対する拡大倍率を指定する第２の指定手段と、この第２の指定手段で指定されたズーム対象位置に対する拡大倍率に基づき、上記第１の指定手段で指定されたズーム対象エリア内の画像と該エリア外の画像を構成する全画素それぞれの第１の座標方向の座標値を変換する第１の画素変換手段と、この第１の画素変換手段で横方向の全画素位置を変換した画像に対し、上記第２の指定手段で指定された拡大倍率に基づいて、上記第１の指定手段で指定されたズーム対象エリア内の画像と該エリア外の画像を構成する全画素それぞれの上記第１の座標方向と直交する第２の座標方向の座標値を変換する第２の画素変換手段と、この第２の画素変換処理で得た画像を投影表示する投影制御手段とを具備したことを特徴とする。
【０００６】
請求項２記載の発明は、上記請求項１記載の発明において、上記第１の指定手段は、予め設定された大きさのズーム対象位置の中心点を指定することを特徴とする。
【０００７】
請求項３記載の発明は、上記請求項１記載の発明において、上記第２の指定手段は、予め用意された複数の拡大倍率から１つを選択して指定することを特徴とする。
【０００８】
請求項４記載の発明は、上記請求項１記載の発明において、上記投影制御手段で投影表示した画像中の、上記ズーム対象エリアに対応するズームエリアの画像の移動を指定する第３の指定手段をさらに具備し、上記第１及び第２の画素変換手段は、上記第３の指定手段で指定されたズームエリアの画像の移動に基づいて再度それぞれの座標方向での座標値の変換を実行し、上記投影制御手段は、上記第２の画素変換手段で再度の画素変換により得た画像を投影表示することを特徴とする。
【０００９】
請求項５記載の発明は、上記請求項１記載の発明において、上記第１及び第２の画素変換手段はそれぞれ、ズーム対象エリア外の画像を該ズーム対象エリアとの遠近関係に対応した複数の倍率で画素変換することを特徴とする。
【００１０】
請求項６記載の発明は、入力画像中のズーム対象位置を指定する第１の指定工程と、この第１の指定工程で指定したズーム対象位置に対する拡大倍率を指定する第２の指定工程と、この第２の指定工程で指定されたズーム対象位置に対する拡大倍率に基づき、上記第１の指定工程で指定されたズーム対象エリア内の画像と該エリア外の画像を構成する全画素それぞれの第１の座標方向の座標値を変換する第１の画素変換工程と、この第１の画素変換工程で横方向の全画素位置を変換した画像に対し、上記第２の指定工程で指定された拡大倍率に基づいて、上記第１の指定工程で指定されたズーム対象エリア内の画像と該エリア外の画像を構成する全画素それぞれの上記第１の座標方向と直交する第２の座標方向の座標値を変換する第２の画素変換工程と、この第２の画素変換処理で得た画像を投影表示する投影制御工程とを有したことを特徴とする。
【００１１】
請求項７記載の発明は、ズーム機能を有する投影装置に内蔵されるコンピュータが実行するプログラムにあって、入力画像中のズーム対象位置を指定する第１の指定ステップと、この第１の指定ステップで指定したズーム対象位置に対する拡大倍率を指定する第２の指定ステップと、この第２の指定ステップで指定されたズーム対象位置に対する拡大倍率に基づき、上記第１の指定ステップで指定されたズーム対象エリア内の画像と該エリア外の画像を構成する全画素それぞれの第１の座標方向の座標値を変換する第１の画素変換ステップと、この第１の画素変換ステップで横方向の全画素位置を変換した画像に対し、上記第２の指定ステップで指定された拡大倍率に基づいて、上記第１の指定ステップで指定されたズーム対象エリア内の画像と該エリア外の画像を構成する全画素それぞれの上記第１の座標方向と直交する第２の座標方向の座標値を変換する第２の画素変換ステップと、この第２の画素変換処理で得た画像を投影表示する投影制御ステップとをコンピュータに実行させることを特徴とする。
【発明の効果】
【００１２】
請求項１記載の発明によれば、ズーム対象エリアに隣接する周辺の画像を、残った面積に応じた倍率で拡大または縮小して画像全体の連続性を保った画像を投影表示するため、ズームを行なう領域と行なわない領域の位置関係を把握し、且つそれら双方の内容を常に視認することが可能となる。
【００１３】
請求項２記載の発明によれば、上記請求項１記載の発明の効果に加えて、ユーザがズームさせたい画像領域の中心点を指定するのみで、予め設定された大きさのズーム対象位置を指定するものとしたため、該指定に要する手間を大幅に簡略化しつつ、ユーザの要求を的確に反映したズームを実現できる。
【００１４】
請求項３記載の発明によれば、上記請求項１記載の発明の効果に加えて、簡単な選択操作で適切な範囲内のズーム倍率を指定することができるため、該指定に要する手間を簡略化しつつ、ユーザの要求を的確に反映したズームを実現できる。
【００１５】
請求項４記載の発明によれば、上記請求項１記載の発明の効果に加えて、簡単な指定操作でズームされている画像領域を移動させることができ、
請求項５記載の発明によれば、上記請求項１記載の発明の効果に加えて、ズームさせた画像周辺の画像も、その近傍はよりズームさせた画像に近い倍率で、離れた位置ではズームさせた倍率とは反対の方向となるように画素変換させることができるため、ユーザの要求をより的確に反映した見やすい画像を生成して投影表示することができる。
【００１６】
請求項６記載の発明によれば、ズーム対象エリアに隣接する周辺の画像を残った面積に応じた倍率で拡大または縮小して画像全体の連続性を保った画像を投影表示させるため、ズームを行なう領域と行なわない領域の位置関係を把握し、且つそれら双方の内容を常に視認することが可能となる。
【００１７】
請求項７記載の発明によれば、ズーム対象エリアに隣接する周辺の画像を残った面積に応じた倍率で拡大または縮小して画像全体の連続性を保った画像を投影表示させるため、ズームを行なう領域と行なわない領域の位置関係を把握し、且つそれら双方の内容を常に視認することが可能となる。
【発明を実施するための最良の形態】
【００１８】
以下本発明をプロジェクタ装置に適用した場合の実施の一形態について図面を参照して説明する。  
図１は、同実施の形態に係るプロジェクタ装置１０の外観構成を示すものである。同図（Ａ）に示すように、直方体状の本体ケーシング１１の前面に、投影レンズ１２、撮影レンズ１３、マイクロホン１４、及びＩｒ受信部１５が配設される。
【００１９】
投影レンズ１２は、後述するマイクロミラー素子等の空間的光変調素子で形成された光像を投影するためのものであり、ここでは合焦位置及び光学ズーム位置（投影画角）を任意に可変できるものとする。
【００２０】
撮影レンズ１３は、上記投影レンズ１２の最大の投影画角より広い撮影画角を有する、やはり自動合焦及びズーム可能な光学レンズ系でなり、ここでは図示しない固体撮像素子、例えばＣＣＤの撮像面に上記投影レンズ１２の投影画像を含む光像を結像させる。
【００２１】
マイクロホン１４は、動画撮影に際して上記投影レンズ１２方向の音声を集音する。  
Ｉｒ受信部１５は、後述するリモートコントローラからのキー操作信号が重畳された赤外光（Ｉｒ）を受信する。
【００２２】
また、本体ケーシング１１の上面には、共にダイヤルリングでなるズームリング１６とフォーカスリング１７、本体メインキー／インジケータ１８、スピーカ１９、及びカバー２０が配設される。
【００２３】
ズームリング１６及びフォーカスリング１７は、上記投影レンズ１２より投影表示する画像のズーム位置及びフォーカス位置をそれぞれ手動で操作する際に使用する。  
本体メインキー／インジケータ１８は、電源のオン／オフと自動／手動、及び入力切換等を切換操作するためのキーとその操作状態を点灯／消灯及び点灯色により表示するＬＥＤで構成されたインジケータとでなる。
【００２４】
スピーカ１９は、入力されてくる音声信号を拡声出力する。  
カバー２０は、ここでは図示しないサブキーを操作する際、及び後述するメモリカードの装脱の際に開閉する。該サブキーは、後述するリモートコントローラを使用せずに、上記本体メインキー／インジケータ１８では設定指示できない詳細な各種動作等を操作する。
【００２５】
さらに、図１（Ｂ）に示すように本体ケーシング１１の背面には、入出力コネクタ部２１、Ｉｒ受信部２２、及びＡＣアダプタ接続部２３が配設される。  
入出力コネクタ部２１は、例えばパーソナルコンピュータ等の外部機器との接続のためのＵＳＢ端子、映像入力用のミニＤ−ＳＵＢ端子、Ｓ端子、及びＲＣＡ端子と、音声入力用のステレオミニ端子等からなる。
【００２６】
Ｉｒ受信部２２は、上記Ｉｒ受信部１５と同様に、後述するリモートコントローラからのキー操作信号が重畳された赤外光（Ｉｒ）を受信する。  
ＡＣアダプタ接続部２３は、電源となる図示しないＡＣアダプタからのケーブルを接続する。
【００２７】
加えて、本体ケーシング１１の下面には、背面側に一対の固定脚部２４，２４が取り付けられると共に、前面側に高さ調節が可能な調整脚部２５が取り付けられる。
【００２８】
調整脚部２５は、そのねじ回転位置を手動で操作することにより、正確には上記投影レンズ１２の投影方向及び撮影レンズ１３の撮影方向の鉛直方向成分、すなわち仰角を調整する。
【００２９】
次いで上記プロジェクタ装置１０に付属するリモートコントローラ３０のキー配列を図２により例示する。このリモートコントローラ３０の各キー操作に伴うキー操作信号は、上記Ｉｒ受信部１５またはＩｒ受信部２２により受信される。
【００３０】
ここでは、電源をオン／オフする「Ｐｏｗｅｒ」キー、ＲＧＢ信号入力時にその調整を行なう「Ａｕｔｏ」キー、プロジェクタ装置１０と投影対象となるスクリーンの位置関係に伴う台形歪み補正を行なう「Ｋｅｙｓｔｏｎｅ」キー、投影する画像をミニＤ−ＳＵＢ端子からの入力画像に切り換える「ＲＧＢ／Ｃｏｍｐ．」キー、同じくＳ端子からの入力画像に切り換える「Ｓ−Ｖｉｄｅｏ」キー、同じくＲＣＡ端子からの入力画像に切り換える「Ｖｉｄｅｏ」キー、デジタルズーム処理により任意の対象エリアをズームアップする「Ｄ−Ｚｏｏｍ［＋］」キー、同ズームダウンする「Ｄ−Ｚｏｏｍ［−］」キー、投影画像中のポインタ等を上下左右各方向に移動させるための「Ｕｐ」キー、「Ｄｏｗｎ」キー、「Ｌｅｆｔ」キー、「Ｒｉｇｈｔ」キー、表示されているポインタ位置での指定を行なう「Ｅｎｔｅｒ」キー、その他多数のキーを、図示する如く配列してなるものとする。
【００３１】
次に図３により上記プロジェクタ装置１０の電子回路の機能構成について説明する。図中、上記入出力コネクタ部２１より入力された各種規格の画像信号は、入出力インタフェース（Ｉ／Ｆ）３１、システムバスＳＢを介して画像変換部３２で投影表示に適した所定のフォーマットの画像信号に統一された後に、表示エンコーダ３３へ送られる。
【００３２】
表示エンコーダ３３は、送られてきた画像信号をビデオＲＡＭ３４に展開記憶させた上でこのビデオＲＡＭ３４の記憶内容からビデオ信号を発生して表示駆動部３５に出力する。
【００３３】
この表示駆動部３５は、送られてきた画像信号に対応して適宜フレームレート、例えば３０［フレーム／秒］で空間的光変調素子（ＳＯＭ）３６を表示駆動するもので、この空間的光変調素子３６に対して、例えば超高圧水銀灯等の光源ランプ３７が出射する高輝度の白色光を照射することで、その反射光で光像が形成され、上記投影レンズ１２を介して図示しないスクリーンに投影表示される。
【００３４】
しかるに、上記投影レンズ１２はレンズモータ（Ｍ）３８に駆動されることでズーム位置及びフォーカス位置を適宜移動する。
【００３５】
また、投影画像の撮影を行なう撮影モード時には、レンズモータ（Ｍ）３９によりズーム位置及びフォーカス位置が移動される上記撮影レンズ１３の光軸上に配置された、固体撮像素子であるＣＣＤ４０の撮像面に結像すると、ＣＣＤ４０から対応するアナログ値の画像信号が生成され、プロセス回路４１に送られる。
【００３６】
このプロセス回路４１は、ＣＣＤ４０で得た画像信号をデジタル化し、画素補間処理及びγ補正処理を含むカラープロセス処理を実施した上でデジタル値の輝度信号Ｙ及び色差信号Ｃｂ，Ｃｒを生成し、システムバスＳＢを介して画像圧縮／伸長部４２に出力する。
【００３７】
画像圧縮／伸長部４２は、輝度及び色差信号をＡＤＣＴ、ハフマン符号化等の処理によりデータ圧縮し、得た画像データを、このプロジェクタ装置１０の記録媒体として着脱自在に装着されるメモリカード４３に順次書込む。
【００３８】
また、メモリカード４３に記録された画像データを読出して投影表示する再生モード時においては、メモリカード４３に記録されている一連の動画を構成する個々の画像データを１フレーム単位で読出し、画像圧縮／伸長部４２で撮影モード時にデータ圧縮した手順と全く逆の手順で圧縮されている画像データを伸長し、伸長した画像データを上記表示エンコーダ３３へ送出して、ビデオＲＡＭ３４、表示駆動部３５を介して空間的光変調素子３６を駆動させ、光源ランプ３７の出射光を照射してその反射光により光像を形成し、投影レンズ１２を介して投影表示する。
【００３９】
なお、メモリカード４３はこのプロジェクタ装置１０に着脱可能ではなくともよいし、さらには半導体メモリではなく、ハードディスク装置などの本体に内蔵された大容量記憶媒体であってもよい。
【００４０】
上記各回路のすべての動作制御を司るのが制御部４４であり、この制御部４４は、ＣＰＵと、後述する投影モード及び再生モード時の該ＣＰＵで実行される動作プログラムを固定的に記憶したＲＯＭ、及びワークメモリとして使用されるＲＡＭ等により構成される。
【００４１】
この制御部４４にはまた、システムバスＳＢを介して音声処理部４５及びズーム処理部４６が接続される。
【００４２】
音声処理部４５は、ＰＣＭ音源等の音源回路を備え、投影モード及び再生モード時には音声データをアナログ化し、上記スピーカ１９を駆動して拡声放音させると共に、撮影モード時には、上記マイクロホン１４より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成してメモリカード４３へ送出する。
【００４３】
ズーム処理部４６は、後述するデジタルズーム処理時に画像データの画素変換を行なってズーム画像を得、得たズーム画像を上記表示エンコーダ３３へ送出し、ビデオＲＡＭ３４、表示駆動部３５、空間的光変調素子３６、光源ランプ３７、及び投影レンズ１２により投影表示させる。
【００４４】
なお、上記本体メインキー／インジケータ１８とカバー２０内に備えられる本体サブキーによりキー／インジケータ部４７を構成し、また上記Ｉｒ受信部１５とＩｒ受信部２２とでＩｒ受信部４８を構成するもので、これらのキー操作信号、赤外光受信信号はいずれも直接制御部４４へ送出される。
【００４５】
図４は、上記ズーム処理部４６の詳細な電子回路の機能構成を示すものである。同図で、ズーム対象の中心位置を示すポインタの位置データと、ズーム倍率データとがズーム位置制御部５１に入力される。
【００４６】
ズーム位置制御部５１は、ポインタの中心位置データのｘｙ座標値から、予め定められた大きさのエリアをズーム対象エリアとしてそのｘｙ各座標値の範囲「ｘｉ１」「ｘｉ２」「ｙｉ１」「ｙｉ２」（ｘｉ１＜ｘｉ２，ｙｉ１＜ｙｉ２）を算出すると共に、このズーム対象エリアをその中心位置から上記ズーム倍率データに従ってズームアップまたはズームダウンした後のズームエリアのｘｙ各座標値の範囲「ｘｏ１」「ｘｏ２」「ｙｏ１」「ｙｏ２」（ｘｏ１＜ｘｏ２，ｙｏ１＜ｙｏ２）を算出する。
【００４７】
しかしてズーム位置制御部５１は、ズーム対象エリアのｘ座標値の範囲「ｘｉ１」「ｘｉ２」とズームエリアのｘ座標値の範囲「ｘｏ１」「ｘｏ２」を比較部５２，５３に出力する。
【００４８】
これら比較部５２，５３にはまた、画像データのｘ座標値を順次カウントアップするｘカウンタ５４のカウント値が入力される。比較部５２は、ｘカウンタ５４のカウント値と上記ｘ座標値「ｘｉ１」「ｘｏ１」とを比較してその比較結果を拡大縮小率選択部５５へ送出する。比較部５３は、ｘカウンタ５４のカウント値と上記ｘ座標値「ｘｉ２」「ｘｏ２」とを比較してその比較結果を拡大縮小率選択部５５へ送出する。
【００４９】
拡大縮小率選択部５５は、これら比較部５２，５３からの比較結果に応じてエリアに対応したｘ座標方向の拡大縮小率を選択し、選択した拡大縮小率をｘ軸方向拡大縮小部５６に出力する。
【００５０】
ｘ軸方向拡大縮小部５６は、この拡大縮小率選択部５５からの拡大縮小率に基づいて、画像メモリ５７に記憶されている画像データのｘ軸方向の画素変換、具体的には画素データの間引きや補間等を実行する。
【００５１】
一方、ズーム位置制御部５１は、ズーム対象エリアのｙ座標値の範囲「ｙｉ１」「ｙｉ２」とズームエリアのｘ座標値の範囲「ｙｏ１」「ｙｏ２」を比較部５８，５９に出力する。
【００５２】
これら比較部５８，５９にはまた、画像データのｙ座標値を順次カウントアップするｙカウンタ６０のカウント値が入力される。比較部５８は、ｙカウンタ６０のカウント値と上記ｙ座標値「ｙｉ１」「ｙｏ１」とを比較してその比較結果を拡大縮小率選択部６１へ送出する。比較部５９は、ｙカウンタ６０のカウント値と上記ｙ座標値「ｙｉ２」「ｙｏ２」とを比較してその比較結果を拡大縮小率選択部６１へ送出する。
【００５３】
拡大縮小率選択部６１は、これら比較部５８，５９からの比較結果に応じてエリアに対応したｙ座標方向の拡大縮小率を選択し、選択した拡大縮小率をｙ軸方向拡大縮小部６２に出力する。
【００５４】
ｙ軸方向拡大縮小部６２は、この拡大縮小率選択部６１からの拡大縮小率に基づいて、画像メモリに記憶されている、既にｘ軸方向の画素変換が行なわれている画像データのｙ軸方向の画素変換、具体的には画素データの間引きや補間等を実行する。
【００５５】
しかして、このｙ軸方向拡大縮小部６２によりｙ軸方向の画素変換も実行された画像データが、画像メモリ５７から読出されて表示のためにこのズーム処理部４６外の表示エンコーダ３３へ送られる。
【００５６】
次に上記実施の形態の動作について説明する。
【００５７】
図５は、主として制御部４４が内部のＲＯＭに記憶されている動作プログラムに基づいて実行するデジタルズーム処理の内容について述べるものである。
【００５８】
その処理当初には、所望の画像を設定して投影表示させている状態で（ステップＳ０１）、デジタルズームの指定とその中心点位置の指定がなされるのを待機する（ステップＳ０２）。
【００５９】
これは、例えばリモートコントローラ３０の「Ｄ−Ｚｏｏｍ［＋］」または「Ｄ−Ｚｏｏｍ［−］」が操作された時点で投影表示している画像中に矢印の形状をしたポインタを重畳して表示させ、続けてリモートコントローラ３０の「Ｕｐ」キー、「Ｄｏｗｎ」キー、「Ｌｅｆｔ」キー、及び「Ｒｉｇｈｔ」キーの操作にそれぞれ対応して上記ポインタの表示位置を適宜移動させた上で、「Ｅｎｔｅｒ」キーが操作された時点でその時点でのポインタの表示位置をズームの中心点位置として設定するものである。
【００６０】
こうしてズームの中心点位置が指定されると、その中心点位置に基づいて、予め設定されている大きさのズーム対象エリアを投影画像中に併せて重畳表示させた上で（ステップＳ０３）、次のズームの倍率指定がなされるのを待機する（ステップＳ０４）。
【００６１】
これは、例えばズーム対象エリアに隣接して複数の倍率の数値を縦方向に並列したウィンドウを展開表示させ、その中の１つをリモートコントローラ３０の「Ｕｐ」キー、「Ｄｏｗｎ」キーの操作に対応して選択状態として反転表示させた上で、「Ｅｎｔｅｒ」キーが操作された時点でその時点で反転表示されていた倍率の数値をズーム倍率として設定するものである。
【００６２】
この場合、上記リモートコントローラ３０の「Ｄ−Ｚｏｏｍ［＋］」キーが操作されていた場合には、ズームアップを行なうものとし、倍率の数値として「１．５倍」「２倍」「３倍」‥‥などのように「１」より大きな数値を表示する。
【００６３】
同様に、上記リモートコントローラ３０の「Ｄ−Ｚｏｏｍ［−］」キーが操作されていた場合には、ズームダウンを行なうものとし、倍率の数値として「１／２倍」「１／３倍」「１／４倍」‥‥などのように「１」より小さな数値を表示する。
【００６４】
こうしてズーム倍率が指定されると、上記ズーム対象エリアをその倍率にしたがって拡大または縮小したズームエリアの範囲を算出した後（ステップＳ０５）、ズーム処理としての画素変換処理を実行する。
【００６５】
図６は、この画素変換処理の詳細を示すものである。図６（Ａ）は、ズーム処理前の投影表示画像中におけるズーム中心点ＣＰと、このズーム中心点ＣＰに基づいた一定の大きさのズーム対象エリアＺＯＡとを示すものである。
【００６６】
ズーム対象エリアＺＯＡのｘ座標の範囲をｘｉ１〜ｘｉ２、同ｙ座標の範囲をｙｉ１〜ｙｉ２とし、図示する如くこれらの各座標値によりズーム前の表示画像をｘ座標方向３つ×ｙ座標方向３つの計９つのエリア＜１＞〜＜９＞に分割した場合を考える。
【００６７】
このとき、エリア＜１＞，＜４＞，＜７＞のｘ座標方向の幅（＝ｘｉ１）をＸＷ１ｉ、エリア＜２＞，＜５＞，＜８＞のｘ座標方向の幅（＝ｘｉ２−ｘｉ１）をＸＷ２ｉ、エリア＜３＞，＜６＞，＜９＞のｘ座標方向の幅をＸＷ３ｉとする。
【００６８】
同様に、エリア＜１＞，＜２＞，＜３＞のｙ座標方向の幅（＝ｙｉ１）をＹＷ１ｉ、エリア＜４＞，＜５＞，＜６＞のｙ座標方向の幅（＝ｙｉ２−ｙｉ１）をＹＷ２ｉ、エリア＜７＞，＜８＞，＜９＞のｙ座標方向の幅をＹＷ３ｉとする。
【００６９】
これに対し、図６（Ｂ）にズーム処理後の投影表示画像中におけるズーム中心点ＣＰと、このズーム中心点ＣＰと上記選択したズーム倍率に基づいたズームエリアＺＡとを示す。
【００７０】
ズームエリアＺＡのｘ座標の範囲をｘｏ１〜ｘｏ２、同ｙ座標の範囲をｙｏ１〜ｙｏ２とし、図示する如くこれらの各座標値によりズーム前の表示画像をｘ座標方向３つ×ｙ座標方向３つの計９つのエリア＜１′＞〜＜９′＞に分割した場合を考える。
【００７１】
このとき、エリア＜１′＞，＜４′＞，＜７′＞のｘ座標方向の幅（＝ｘｏ１）をＸＷ１ｏ、エリア＜２′＞，＜５′＞，＜８′＞のｘ座標方向の幅（＝ｘｏ２−ｘｏ１）をＸＷ２ｏ、エリア＜３′＞，＜６′＞，＜９′＞のｘ座標方向の幅をＸＷ３ｏとする。
【００７２】
同様に、エリア＜１′＞，＜２′＞，＜３′＞のｙ座標方向の幅（＝ｙｏ１）をＹＷ１ｏ、エリア＜４′＞，＜５′＞，＜６′＞のｙ座標方向の幅（＝ｙｏ２−ｙｏ１）をＹＷ２ｏ、エリア＜７′＞，＜８′＞，＜９′＞のｙ座標方向の幅をＹＷ３ｏとする。
【００７３】
当然ながら、ズーム倍率をｎとすると、図６（Ａ）のズーム対象エリアＺＯＡ（エリア＜５＞）のｘ座標方向の幅ＸＷ２ｉと、図６（Ｂ）のズームエリアＺＡ（エリア＜５′＞）のｘ座標方向の幅ＸＷ２ｏの関係は、「ＸＷ２ｏ＝ＸＷ２ｉ×ｎ」となる。
【００７４】
同様に、図６（Ａ）のズーム対象エリアＺＯＡ（エリア＜５＞）のｙ座標方向の幅ＹＷ２ｉと、図６（Ｂ）のズームエリアＺＡ（エリア＜５′＞）のｙ座標方向の幅ＹＷ２ｏの関係は、「ＹＷ２ｏ＝ＹＷ２ｉ×ｎ」となる。  
なお、図６（Ａ），（Ｂ）では説明のためにあえて異ならせているが、ズーム中心点ＣＰの位置はズーム処理前とズーム処理後とで移動しないものとする。
【００７５】
上記図４の拡大縮小率選択部５５は、ｘカウンタ５４の計数するｘ座標値に対する比較部５２，５３での比較結果に基づき、ズーム処理前のエリア＜１＞，＜４＞，＜７＞に対しては「ＸＷ１ｏ／ＸＷ１ｉ」の倍率、ズーム処理前のエリア＜２＞，＜５＞，＜８＞に対しては「ＸＷ２ｏ／ＸＷ２ｉ」の倍率（＝ズーム倍率ｎ）、ズーム処理前のエリア＜３＞，＜６＞，＜９＞に対しては「ＸＷ３ｏ／ＸＷ３ｉ」の倍率をそれぞれ選択してｘ軸方向拡大縮小部５６へ送出するものとなる。
【００７６】
したがって、ｘ軸方向拡大縮小部５６は、画像メモリ５７に保持される上記図６（Ａ）で示したズーム処理前の画像データを構成する全画素を順次走査しながら上記した拡大縮小率選択部５５からの倍率にしたがって画素変換して内容を書き換えることにより、ｘ座標方向の画素変換を実行する（ステップＳ０６）。
【００７７】
同様にして、図４の拡大縮小率選択部６１は、ｙカウンタ６０の計数するｙ座標値に対する比較部５８，５９での比較結果に基づき、ズーム処理前のエリア＜１＞，＜２＞，＜３＞に対しては「ＹＷ１ｏ／ＹＷ１ｉ」の倍率、ズーム処理前のエリア＜４＞，＜５＞，＜６＞に対しては「ＹＷ２ｏ／ＹＷ２ｉ」の倍率（＝ズーム倍率ｎ）、ズーム処理前のエリア＜７＞，＜８＞，＜９＞に対しては「ＹＷ３ｏ／ＹＷ３ｉ」の倍率をそれぞれ選択してｙ軸方向拡大縮小部６２へ送出するものとなる。
【００７８】
したがって、ｙ軸方向拡大縮小部６２は、画像メモリ５７に保持される、既にｘ座標方向の画素変換が施された画像データを構成する全画素を順次走査しながら上記した拡大縮小率選択部６１からの倍率にしたがって画素変換して内容を書き換えることにより、ｙ座標方向の画素変換を実行する（ステップＳ０７）。
【００７９】
こうしてｘ座標方向及びｙ座標方向共に画素変換を実行することで、図６（Ｂ）に示したようなデジタルズーム処理を施した画像データを得ることができる。  
制御部４４は、このデジタルズーム処理を施した画像データをズーム処理部４６内の画像メモリ５７から読出して上記表示エンコーダ３３へ送出し、投影系の各回路を駆動して投影レンズ１２より図示しないスクリーンに投影表示させた上で（ステップＳ０８）、他の画像を選択するためのキー操作がなされたか否か（ステップＳ０９）、デジタルズーム処理された画像中のズームエリアＺＡの移動を指定するキー操作がなされたか否か（ステップＳ１０）を連続して判断する、という処理を繰返し実行することで、これらのキー操作がなされるのを待機する。
【００８０】
ステップＳ０８でのズーム画像の投影表示に際しては、画像中に矢印の形状をしたポインタを重畳して表示させるものとする。  
上記ステップＳ０９で判断する、他の画像を選択するための操作は、例えばリモートコントローラ３０の「ＰｇＵｐ（ページアップ）」キーまたは「ＰｇＤｎ（ページダウン）」キーの操作によるものとし、その操作を判断した場合には、その操作に対応した方向の他の画像データを選択して読出してきた上で（ステップＳ１２）、再び上記ステップＳ０１からの処理に戻る。
【００８１】
また、上記ステップＳ１０でのズームエリアＺＡの移動を指定するキー操作は、例えば画像中に表示されているポインタをズームエリアＺＡの枠上に移動させた上で、リモートコントローラ３０の「Ｅｎｔｅｒ」キーと「Ｕｐ」キー、「Ｄｏｗｎ」キー、「Ｌｅｆｔ」キー、及び「Ｒｉｇｈｔ」キーのいずれかが同時に操作された場合にこれを判断し、操作されたキーの方向にズームエリアＺＡを移動させるべく、再び上記ステップＳ０６からの処理に戻る。
【００８２】
このように、ズーム処理前のズーム対象エリアＺＯＡに隣接する周辺の画像を、ズーム処理後のズームエリアＺＡの周囲に残った面積に応じた倍率で拡大または縮小して画像全体の連続性を保った画像を投影表示するようにしたことにより、ズームを行なう領域と行なわない領域の位置関係を把握し、且つそれら双方の内容を常に視認することが可能となる。
【００８３】
図７は、あえて規則的に変化するチェック模様の画像に対して、ズーム倍率を２倍としてデジタルズーム処理（ズームアップ）を施した場合を例示するものである。図７（Ａ）に示すズーム処理前の画像がすべて同一の大きさのチェック模様であるのに対して、図７（Ｂ）に示すズーム処理後の画像では、ズームエリアＺＡ内のみ縦横が同倍率で違和感なく拡大表示されているのに対して、図６（Ｂ）のエリア＜１＞〜＜４＞，＜６＞〜＜９＞に該当するその周囲の画像は、縦横がそれぞれ異なる倍率で拡大または縮小されており、全体としては元のチェック模様がいびつに縮小されていることがわかる。
【００８４】
しかしながら、特にズームエリアＺＡの上下左右方向に隣接するエリア＜２＞，＜４＞，＜６＞，＜８＞に該当する部分では、ズームエリアＺＡのズーム倍率「２倍」に合わせて、横方向（エリア＜２＞，＜８＞）または縦方向（エリア＜２＞，＜４＞）が「２倍」に拡大されており、その内容を充分に視認することができる。
【００８５】
なお、上記実施の形態では、ズーム対象エリアＺＯＡを指定する方法として、そのエリアを示す矩形の例えば１組の対角を指定するのではなく、ズームさせたい画像領域のズーム中心点ＣＰを指定するのみで、予め設定された大きさのズーム対象位置を指定するものとした。これにより、ズーム対象エリアＺＯＡの指定に要する手間を大幅に簡略化しつつ、ユーザの要求を的確に反映したズームを実現できる。
【００８６】
また、上記実施の形態では、ズーム対象エリアＺＯＡの表示に続いてズーム倍率の候補を一覧表示し、簡単な選択操作で適切な範囲内のズーム倍率を指定するものとした。これにより、ズーム倍率の指定に要する手間も簡略化しつつ、ユーザの要求を的確に反映したズームを実現できる。
【００８７】
加えて、上記実施の形態では、一旦デジタルズーム処理によりズームエリアＺＡを表示させた後に、そのズームエリアＺＡを画像中のポインタを用いてリモートコントローラ３０のキー操作により移動させることもできるものとした。
【００８８】
これにより、始めのズーム対象エリアＺＯＡの指定から外れた位置にある画像内容であっても、簡単な指定操作でズームされているエリアＺＡを任意に移動させることで、より手軽に視認できる。
【００８９】
なお、上記実施の形態では、ズームエリアＺＡの周囲に位置する各＜１′＞〜＜４′＞，＜６′＞〜＜９′＞の画像は、縦横がそれぞれ異なる倍率で拡大または縮小するものとし、各エリア内においては、縦方向のズーム倍率及び横方向のズーム倍率は一律に指定するものとしていた。
【００９０】
しかしながら、各エリア内においてもズームエリアＺＡに近い部分と遠い部分とでは異なるズーム倍率を設定するものとし、位置がズームエリアＺＡに近づくに連れてズームエリアＺＡに設定されているズーム倍率に近い倍率で拡大または縮小を行なうものとしてもよい。
【００９１】
図８は、本実施の形態に係る他の動作例として原理を示すもので、図８（Ａ）はズーム処理後のズームエリアＺＡを含む画像であり、図８（Ｂ）はそのｘ座標方向に沿ったズーム倍率を例示するものである。  
同図（Ｂ）中、破線が上記実施の形態に係るズーム倍率であり、ズームエリアＺＡ（エリア＜２′＞，＜５′＞，＜８′＞）でのズーム倍率ｎ＝２とし、これを挟んで左側、エリア＜１′＞，＜４′＞，＜７′＞のｘ座標方向の倍率を一律に０．３３、同右側のエリア＜３′＞，＜６′＞，＜９′＞のｘ座標方向の倍率を一律に０．６とした場合について示している。
【００９２】
これに対して上述した如くズームエリアＺＡに近い部分と遠い部分とでは異なるズーム倍率を設定するものとし、位置がズームエリアＺＡに近づくに連れてズームエリアＺＡに設定されているズーム倍率に近い倍率で拡大または縮小を行なうものとすると、同図（Ｂ）に実線で示すように、ズームエリアＺＡ（エリア＜２′＞，＜５′＞，＜８′＞）でのズーム倍率ｎ＝２と一律になるのは同様であるものの、エリア＜１′＞，＜４′＞，＜７′＞とエリア＜３′＞，＜６′＞，＜９′＞の各ｘ座標方向の倍率は、ズームエリアＺＡ（エリア＜２′＞，＜５′＞，＜８′＞）に隣接した位置ではズーム倍率ｎ＝２とし、離れるにしたがって大幅にズーム倍率が低下するものとしている。
【００９３】
なお、上記図８では示さないが、画像のｙ座標方向においても同様にズームエリアＺＡの近傍ではズームエリアＺＡのズーム倍率に近く、離れるにしたがって大幅にズーム倍率が低下するものとする。
【００９４】
このように、ズームさせた画像周辺の画像も、その近傍はよりズームさせた画像に近い倍率で、離れた位置ではズームさせた倍率とは反対の方向となるように画素変換させることで、ユーザの要求を的確に反映し、画像の連続性を保ってより見やすい画像を生成して投影表示することができる。
【００９５】
なお、上記実施の形態は、本発明をマイクロミラー素子等の空間的光変調素子を用いたプロジェクタ装置に適用した場合について説明したものであるが、本発明はこれに限るものではなく、光像を形成する素子としては液晶シャッタ等を用いた投影装置であっても同様に適用することが考えられる。
【００９６】
その他、本発明は上記実施の形態に限らず、その要旨を逸脱しない範囲内で種々変形して実施することが可能であるものとする。
【００９７】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００９８】
【図１】本発明の実施の一形態に係るプロジェクタ装置の外観構成を示す斜視図。
【図２】同実施の形態に係るリモートコントローラのキー配置構成を例示する平面図。
【図３】同実施の形態に係るプロジェクタ装置の電子回路の機能構成を示すブロック図。
【図４】図３のズーム処理部の電子回路の機能回路構成を示すブロック図。
【図５】同実施の形態に係るデジタルズームの処理内容を示すフローチャート。
【図６】同実施の形態に係るデジタルズーム処理の原理を説明する図。
【図７】同実施の形態に係るデジタルズームによる画像の変化を例示する図。
【図８】同実施の形態に係るデジタルズーム処理の他の倍率設定を説明する図。
【符号の説明】
【００９９】
１０…プロジェクタ装置、１１…本体ケーシング、１２…投影レンズ、１３…撮影レンズ、１４…マイクロホン、１５…Ｉｒ受信部１５、１６…ズームリング、１７…フォーカスリング、１８…本体メインキー／インジケータ、１９…スピーカ、２０…カバー、２１…入出力コネクタ部、２２…Ｉｒ受信部、２３…ＡＣアダプタ接続部、２４…固定脚部、２５…調整脚部、３０…リモートコントローラ、３１…入出力インタフェース（Ｉ／Ｆ）、３２…画像変換部、３３…表示エンコーダ、３４…ビデオＲＡＭ、３５…表示駆動部、３６…空間的光変調素子（ＳＯＭ）、３７…光源ランプ、３８，３９…レンズモータ（Ｍ）、４０…ＣＣＤ、４１…プロセス回路、４２…画像圧縮／伸長部、４３…メモリカード、４４…制御部、４５…音声処理部、４６…ズーム処理部、４７…キー／インジケータ部、４８…Ｉｒ受信部、５１…ズーム位置制御部、５２，５３…比較部、５４…ｘカウンタ、５５…拡大縮小率選択部、５６…ｘ軸方向拡大縮小部、５７…画像メモリ、５８，５９…比較部、６０…ｙカウンタ、６１…拡大縮小率選択部、６２…ｙ軸方向拡大縮小部、ＣＰ…ズーム中心点、ＳＢ…システムバス、ＺＡ…ズームエリア、ＺＯＡ…ズーム対象エリア。
【図１】
2005077821.tif 000003
【図２】
2005077821.tif 000004
【図３】
2005077821.tif 000005
【図４】
2005077821.tif 000006
【図５】
2005077821.tif 000007
【図６】
2005077821.tif 000008
【図７】
2005077821.tif 000009
【図８】
2005077821.tif 000010